(57)【要約】【課題】受信側に受信意志がない場合には、発信側メールサーバがメールを送信することができず、確実に迷惑メールの受信を防止する。【解決手段】メール受信部２１と、受信側メールサーバ３から鍵情報を受信するまでメールを蓄積するメール蓄積部２２と、メールのヘッダー情報を抽出するヘッダー情報抽出部２４と、ヘッダー情報と、受信側メールサーバから鍵情報を受信したメールを受信側メールサーバ３に送信するメール送信部２３とを備えた送信側メールサーバ２と、送信側メールサーバ２からメールを受信し、メールに鍵情報が付されていないか、付されていた場合でも蓄積されたものと同一でない場合には、メールを廃棄するメール廃棄部３２と、メールに付されていた鍵情報が蓄積されたものと同一の場合には、メールを受信側クライアント４に送信するメール送信部３４とを備えた受信側メールサーバ３とを有する電子メールシステム。【選択図】  図１
2004159086.tif 000002
【特許請求の範囲】
【請求項１】
送信側クライアントからメールを受信するメール受信部と、受信側メールサーバから鍵情報を受信するまで前記送信側クライアントからのメールを蓄積するメール蓄積部と、
前記送信側クライアントからのメールのヘッダー情報を抽出するヘッダー情報抽出部と、
該ヘッダー情報抽出部が抽出したヘッダー情報と、前記受信側メールサーバから鍵情報を受信したメールを前記受信側メールサーバに送信するメール送信部とを備えた送信側メールサーバと、
該送信側メールサーバからメールを受信し、該メールが前記ヘッダー情報のみを含むか、メール本文が含まれているかを判断し、メール本文が含まれている場合には、該メールに鍵情報が付されているか否かを判断し、鍵情報が付されている場合には、該鍵情報が蓄積されたものと同一か否かを判断するメール受信／解析部と、
前記メールがヘッダー情報のみを含む場合には、該メールを受信側クライアントに送信する送信要求情報管理部と、
前記メールにメール本文が含まれている場合において、前記メール受信／解析部によって、該メールに鍵情報が付されていないか、付されていた場合でも蓄積されたものと同一でないと判断された場合には、該メールを廃棄するメール廃棄部と、
前記メールにメール本文が含まれている場合において、前記メール受信／解析部によって、該メールに鍵情報が付されているとともに、該鍵情報が蓄積されたものと同一であると判断された場合には、該メールを受信側クライアントに送信するメール送信部と、
受信側クライアントからメールの発信を許可する情報を受信した場合に鍵情報を生成し、送信側メールサーバに送信する鍵生成／送信部と、
該鍵生成／送信部にて生成した鍵情報を蓄積する鍵情報蓄積部とを備えた受信側メールサーバとを有することを特徴とする電子メールシステム。
【請求項２】
送信側クライアントからメールを受信するメール受信部と、受信側メールサーバから鍵情報を受信するまで前記送信側クライアントからのメールを蓄積するメール蓄積部と、
前記送信側クライアントからのメールのヘッダー情報を抽出するヘッダー情報抽出部と、
該ヘッダー情報抽出部が抽出したヘッダー情報と、前記受信側メールサーバから鍵情報を受信したメールを前記受信側メールサーバに送信するメール送信部とを備えた送信側メールサーバと、
該送信側メールサーバからメールを受信し、該メールが前記ヘッダー情報のみを含むか、メール本文が含まれているかを判断し、メール本文が含まれている場合には、該メールに鍵情報が付されているか否かを判断し、鍵情報が付されている場合には、該鍵情報が蓄積されたものと同一か否かを判断するメール受信／解析部と、
前記メールがヘッダー情報のみを含む場合には、該メールを受信側クライアントに送信する送信要求情報管理部と、
前記メールにメール本文が含まれている場合において、前記メール受信／解析部によって、該メールに鍵情報が付されていないか、付されていた場合でも蓄積されたものと同一でないと判断された場合には、該メールを廃棄するメール廃棄部と、
前記メールにメール本文が含まれている場合において、前記メール受信／解析部によって、該メールに鍵情報が付されているとともに、該鍵情報が蓄積されたものと同一であると判断された場合には、該メールを受信側クライアントに送信するメール送信部と、
受信側クライアントからメールの発信を許可する鍵情報を受信した場合に該鍵情報を蓄積するとともに、送信側メールサーバに送信する鍵情報蓄積／送信部とを備えた受信側メールサーバとを有することを特徴とする電子メールシステム。
【請求項３】
送信側クライアントからメールを受信するメール受信部と、受信側メールサーバから鍵情報を受信するまで前記送信側クライアントからのメールを蓄積するメール蓄積部と、
前記送信側クライアントからのメールのヘッダー情報を抽出するヘッダー情報抽出部と、
該ヘッダー情報抽出部が抽出したヘッダー情報と、前記受信側メールサーバから鍵情報を受信したメールを前記受信側メールサーバに送信するメール送信部とを備えたことを特徴とする送信側メールサーバ。
【請求項４】
送信側メールサーバからメールを受信し、該メールがヘッダー情報のみを含むか、メール本文が含まれているかを判断し、メール本文が含まれている場合には、該メールに鍵情報が付されているか否かを判断し、鍵情報が付されている場合には、該鍵情報が蓄積されたものと同一か否かを判断するメール受信／解析部と、
前記メールがヘッダー情報のみを含む場合には、該メールを受信側クライアントに送信する送信要求情報管理部と、
前記メールにメール本文が含まれている場合において、前記メール受信／解析部によって、該メールに鍵情報が付されていないか、付されていた場合でも蓄積されたものと同一でないと判断された場合には、該メールを廃棄するメール廃棄部と、
前記メールにメール本文が含まれている場合において、前記メール受信／解析部によって、該メールに鍵情報が付されているとともに、該鍵情報が蓄積されたものと同一であると判断された場合には、該メールを受信側クライアントに送信するメール送信部と、
受信側クライアントからメールの発信を許可する情報を受信した場合に鍵情報を生成し、送信側メールサーバに送信する鍵生成／送信部と、
該鍵生成／送信部にて生成した鍵情報を蓄積する鍵情報蓄積部とを備えたことを特徴とする受信側メールサーバ。
【請求項５】
送信側メールサーバからメールを受信し、該メールがヘッダー情報のみを含むか、メール本文が含まれているかを判断し、メール本文が含まれている場合には、該メールに鍵情報が付されているか否かを判断し、鍵情報が付されている場合には、鍵情報が蓄積されたものと同一か否かを判断するメール受信／解析部と、
前記メールがヘッダー情報のみを含む場合には、該メールを受信側クライアントに送信する送信要求情報管理部と、
前記メールにメール本文が含まれている場合において、前記メール受信／解析部によって、該メールに鍵情報が付されていないか、付されていた場合でも蓄積されたものと同一でないと判断された場合には、該メールを廃棄するメール廃棄部と、
前記メールにメール本文が含まれている場合において、前記メール受信／解析部によって、該メールに鍵情報が付されているとともに、該鍵情報が蓄積されたものと同一であると判断された場合には、該メールを受信側クライアントに送信するメール送信部と、
受信側クライアントからメールの発信を許可する鍵情報を受信した場合に該鍵情報を蓄積するとともに、送信側メールサーバに送信する鍵情報蓄積／送信部とを備えたことを特徴とする受信側メールサーバ。
【請求項６】
メールのヘッダー情報を受信して表示する送信要求情報表示部と、
該メールを受信する場合には、メールの発信を許可する情報を送信する受信承諾情報返信部と、
発信を許可したメールを受信するメール受信部とを備えたことを特徴とする受信側クライアント。
【請求項７】
メールのヘッダー情報を受信して表示する送信要求情報表示部と、
該メールを受信する場合には、メールの発信を許可する鍵情報を生成して送信する鍵生成／送信部と、
発信を許可したメールを受信するメール受信部とを備えたことを特徴とする受信側クライアント。
【発明の詳細な説明】
【０００１】
【発明の属する技術分野】
本発明は、電子メールシステムに関し、特に、受信側メールサーバ及び受信側クライアントが受信を希望しない迷惑メール等の受信を防止することのできる電子メールシステムに関する。
【０００２】
【従来の技術】
従来、受信側の電子メールサーバ及びクライアントが受信を希望しないメール、特に、迷惑メールの受信を防止するため、種々の電子メールシステムが提案されている。
【０００３】
例えば、特開平２−３９６４７号公報に記載の電子メール受発信閉域保護装置は、電子メールの受発信加入者を指定する情報を含む閉域管理情報を格納する閉域管理情報データベースと、このデータベースへの閉域管理情報の登録更新を行う手段と、電子メールの受発信の際に、発信しようとするメール宛先情報に基づき、閉域管理情報データべースに格納された閉域管理情報を参照し、その宛先または発信者のメールの受発信の可否を判断する手段と、判断結果に基づき、受発信可能な受発信メールのみを発信または受信するように電子メールの受発信を制御する手段とを備える。これによって、不要なダイレクトメール等の流入を防止してメールの受発信の円滑化を図ることができる。
【０００４】
また、特開平９−１３０４２３号公報に記載の電子メールサービス提供装置及び方法では、受信者の意向を確認し、受信者が必要とするメールのみを送信する電子メールサービスを提供するため、受信したメールが発信メールか返信メールかを解析し、受信メールが発信メールであるときには、発信メールからヘッダを抽出してヘッダを受信者に送信し、受信メールが返信メールであるときには、返信メールが発信メール全体の送信要求か発信メール全体の送信拒否かを解析し、発信メール全体の送信要求の場合には、発信メール全体を受信者に送信し、発信メール全体の受信を拒否するものである場合、または所定の保存期間が経過しても発信メール全体に対する送信要求がない場合には、発信メール全体を消去する。
【０００５】
さらに、特開２０００−１６３３４１号公報に記載のメールサーバ及び迷惑電子メール自動処分方法では、嫌がらせ電子メールを排除するため、ネットワークを介して電子メールを受信し、電子メール利用者に対する電子メール受信条件情報を保持し、受け取った電子メールが同一送信者からの非常に多数の電子メールか、発信者不明の電子メールか否かを判断し、受け取った電子メールがこれらのいずれかに該当する場合には、当該電子メールを自動的に排除する。
【０００６】
【発明が解決しようとする課題】
しかし、上記特開平２−３９６４７号公報に記載の電子メール受発信閉域保護装置においては、受発信可能な受発信メールのみを発信または受信するように電子メールの受発信を制御するため、予め、電子メール受発信閉域保護装置にメールの受信を許可する発信者を登録する必要があり、登録されていない発信者からの電子メールはすべて受信することができないという問題があった。
【０００７】
また、特開平９−１３０４２３号公報に記載の電子メールサービス提供装置及び方法では、発信側メールサーバは、受信側メールサーバの受信意志に関わらず相手方にメールを送信することができるため、悪意を持って大量に送られたメールが受信先の資源を無駄にしてしまうという問題があった。
【０００８】
さらに、特開２０００−１６３３４１号公報に記載のメールサーバ及び迷惑電子メール自動処分方法においても、上記と同様に、発信側メールサーバは、受信側メールサーバの受信意志に関わらず相手にメールを送信することができ、迷惑メールによって受信先の資源を無駄にしてしまうという問題があった。
【０００９】
そして、上記公報のうち、後の２つの公報に記載の技術では、被害に遭った後にその迷惑メールを防ぐための条件を設定して対象メールの削除等を行っているため、受信者が予め条件を登録していないメールについては受信を防止することができず、被害を受けてからの後対策になるという問題があった。
【００１０】
そこで、本発明は、上記従来の電子メールシステム等における問題点に鑑みてなされたものであって、登録されていない発信者からの電子メールでも受け取ることができるとともに、受信側メールサーバの受信意志がない場合には、発信側メールサーバは、相手にメールを送信することができず、被害に遭う前において確実に迷惑メールの受信を防止することのできる電子メールシステムを提供することを目的とする。
【００１１】
【課題を解決するための手段】
上記目的を達成するため、本発明は、電子メールシステムであって、送信側クライアントからメールを受信するメール受信部と、受信側メールサーバから鍵情報を受信するまで前記送信側クライアントからのメールを蓄積するメール蓄積部と、前記送信側クライアントからのメールのヘッダー情報を抽出するヘッダー情報抽出部と、該ヘッダー情報抽出部が抽出したヘッダー情報と、前記受信側メールサーバから鍵情報を受信したメールを前記受信側メールサーバに送信するメール送信部とを備えた送信側メールサーバと、該送信側メールサーバからメールを受信し、該メールが前記ヘッダー情報のみを含むか、メール本文が含まれているかを判断し、メール本文が含まれている場合には、該メールに鍵情報が付されているか否かを判断し、鍵情報が付されている場合には、該鍵情報が蓄積されたものと同一か否かを判断するメール受信／解析部と、前記メールがヘッダー情報のみを含む場合には、該メールを受信側クライアントに送信する送信要求情報管理部と、前記メールにメール本文が含まれている場合において、前記メール受信／解析部によって、該メールに鍵情報が付されていないか、付されていた場合でも蓄積されたものと同一でないと判断された場合には、該メールを廃棄するメール廃棄部と、前記メールにメール本文が含まれている場合において、前記メール受信／解析部によって、該メールに鍵情報が付されているとともに、該鍵情報が蓄積されたものと同一であると判断された場合には、該メールを受信側クライアントに送信するメール送信部と、受信側クライアントからメールの発信を許可する情報を受信した場合に鍵情報を生成し、送信側メールサーバに送信する鍵生成／送信部と、該鍵生成／送信部にて生成した鍵情報を蓄積する鍵情報蓄積部とを備えた受信側メールサーバとを有することを特徴とする。
【００１２】
また、本発明は、電子メールシステムであって、送信側クライアントからメールを受信するメール受信部と、受信側メールサーバから鍵情報を受信するまで前記送信側クライアントからのメールを蓄積するメール蓄積部と、前記送信側クライアントからのメールのヘッダー情報を抽出するヘッダー情報抽出部と、該ヘッダー情報抽出部が抽出したヘッダー情報と、前記受信側メールサーバから鍵情報を受信したメールを前記受信側メールサーバに送信するメール送信部とを備えた送信側メールサーバと、該送信側メールサーバからメールを受信し、該メールが前記ヘッダー情報のみを含むか、メール本文が含まれているかを判断し、メール本文が含まれている場合には、該メールに鍵情報が付されているか否かを判断し、鍵情報が付されている場合には、該鍵情報が蓄積されたものと同一か否かを判断するメール受信／解析部と、前記メールがヘッダー情報のみを含む場合には、該メールを受信側クライアントに送信する送信要求情報管理部と、前記メールにメール本文が含まれている場合において、前記メール受信／解析部によって、該メールに鍵情報が付されていないか、付されていた場合でも蓄積されたものと同一でないと判断された場合には、該メールを廃棄するメール廃棄部と、前記メールにメール本文が含まれている場合において、前記メール受信／解析部によって、該メールに鍵情報が付されているとともに、該鍵情報が蓄積されたものと同一であると判断された場合には、該メールを受信側クライアントに送信するメール送信部と、受信側クライアントからメールの発信を許可する鍵情報を受信した場合に該鍵情報を蓄積するとともに、送信側メールサーバに送信する鍵情報蓄積／送信部とを備えた受信側メールサーバとを有することを特徴とする。
【００１３】
さらに、本発明は、送信側メールサーバであって、送信側クライアントからメールを受信するメール受信部と、受信側メールサーバから鍵情報を受信するまで前記送信側クライアントからのメールを蓄積するメール蓄積部と、前記送信側クライアントからのメールのヘッダー情報を抽出するヘッダー情報抽出部と、該ヘッダー情報抽出部が抽出したヘッダー情報と、前記受信側メールサーバから鍵情報を受信したメールを前記受信側メールサーバに送信するメール送信部とを備えたことを特徴とする。
【００１４】
また、本発明は、受信側メールサーバであって、送信側メールサーバからメールを受信し、該メールがヘッダー情報のみを含むか、メール本文が含まれているかを判断し、メール本文が含まれている場合には、該メールに鍵情報が付されているか否かを判断し、鍵情報が付されている場合には、該鍵情報が蓄積されたものと同一か否かを判断するメール受信／解析部と、前記メールがヘッダー情報のみを含む場合には、該メールを受信側クライアントに送信する送信要求情報管理部と、前記メールにメール本文が含まれている場合において、前記メール受信／解析部によって、該メールに鍵情報が付されていないか、付されていた場合でも蓄積されたものと同一でないと判断された場合には、該メールを廃棄するメール廃棄部と、前記メールにメール本文が含まれている場合において、前記メール受信／解析部によって、該メールに鍵情報が付されているとともに、該鍵情報が蓄積されたものと同一であると判断された場合には、該メールを受信側クライアントに送信するメール送信部と、受信側クライアントからメールの発信を許可する情報を受信した場合に鍵情報を生成し、送信側メールサーバに送信する鍵生成／送信部と、該鍵生成／送信部にて生成した鍵情報を蓄積する鍵情報蓄積部とを備えたことを特徴とする。
【００１５】
さらに、本発明は、受信側メールサーバであって、送信側メールサーバからメールを受信し、該メールがヘッダー情報のみを含むか、メール本文が含まれているかを判断し、メール本文が含まれている場合には、該メールに鍵情報が付されているか否かを判断し、鍵情報が付されている場合には、鍵情報が蓄積されたものと同一か否かを判断するメール受信／解析部と、前記メールがヘッダー情報のみを含む場合には、該メールを受信側クライアントに送信する送信要求情報管理部と、前記メールにメール本文が含まれている場合において、前記メール受信／解析部によって、該メールに鍵情報が付されていないか、付されていた場合でも蓄積されたものと同一でないと判断された場合には、該メールを廃棄するメール廃棄部と、前記メールにメール本文が含まれている場合において、前記メール受信／解析部によって、該メールに鍵情報が付されているとともに、該鍵情報が蓄積されたものと同一であると判断された場合には、該メールを受信側クライアントに送信するメール送信部と、受信側クライアントからメールの発信を許可する鍵情報を受信した場合に該鍵情報を蓄積するとともに、送信側メールサーバに送信する鍵情報蓄積／送信部とを備えたことを特徴とする。
【００１６】
さらにまた、本発明は、受信側クライアントであって、メールのヘッダー情報を受信して表示する送信要求情報表示部と、該メールを受信する場合には、メールの発信を許可する情報を送信する受信承諾情報返信部と、発信を許可したメールを受信するメール受信部とを備えたことを特徴とする。
【００１７】
また、本発明は、受信側クライアントであって、メールのヘッダー情報を受信して表示する送信要求情報表示部と、該メールを受信する場合には、メールの発信を許可する鍵情報を生成して送信する鍵生成／送信部と、発信を許可したメールを受信するメール受信部とを備えたことを特徴とする。
【００１８】
そして、本発明によれば、送信側クライアントから受信したメールを受信側メールサーバから鍵情報を受信するまで送信側メールサーバに蓄積し、送信側クライアントからのメールのヘッダー情報を受信側メールサーバを介して受信側クライアントに送信し、該ヘッダー情報に基づいてメールの発信を許可する情報を受信した場合に鍵情報を生成し、該鍵情報が付され、受信側メールサーバに蓄積された鍵情報と一致するメールのみを受信側メールサーバを介して受信側クライアントで受信し、それ以外のメールは、受信側メールサーバに蓄積することなく廃棄するため、受信側メールサーバの受信意志がない場合には、発信側メールサーバは、受信側メールサーバ及び受信側クライアントにメールを送信することができず、被害に遭う前において確実に迷惑メールの受信を防止することができる。また、従来のように、予め受信を許可する発信者を登録する必要もないため、登録されていない発信者からの電子メールを受け取りながら、迷惑メール等の受信を防止することが可能となる。
【００１９】
【発明の実施の形態】
次に、本発明の実施の形態について図面を参照しながら詳細に説明する。
【００２０】
図１は、本発明にかかる電子メールシステムの第１の実施の形態の全体構成を示し、この電子メールシステムは、送信側クライアント１と、送信側メールサーバ２と、受信側メールサーバ３と、受信側クライアント４とを含む。
【００２１】
送信側メールサーバ２は、メール受信部２１と、メール蓄積部２２と、メール送信部２３と、ヘッダー情報抽出部２４と、鍵受信／管理部２５とを備えている。
【００２２】
メール受信部２１は、送信側クライアント１からのメールを受信する。メール蓄積部２２は、相手側の受信側メールサーバ３からメール送信の許可情報となる鍵情報を受信するまで送信側クライアント１からのメールを蓄積する。メール送信部２３は、ヘッダー情報抽出部２４が抽出したヘッダー情報と、相手側の受信側メールサーバ３から鍵情報を受信したメールを相手側の受信側メールサーバ３に送信する。ヘッダー情報抽出部２４は、メール受信部２１で受信したメールの送信者、日付、表題等のヘッダー情報を抽出する。
【００２３】
受信側メールサーバ３は、メール受信／解析部３１と、メール廃棄部３２と、送信要求情報管理部３３と、メール送信部３４と、鍵生成／送信部３５と、鍵情報蓄積部３６とを備える。
【００２４】
メール受信／解析部３１は、送信側メールサーバ２からのメールを受信し、その情報がメールの送信要求であるのか、受信側クライアント４が送信側メールサーバ２にメールの送信を許可して鍵情報が付けられた本文メールであるのか、鍵が付けられていない本文メールであるのかを判断する。また、メール受信／解析部３１は、鍵情報蓄積部３６と照合し、その鍵が正しいものであるのかを判断する。メール廃棄部３２は、送信を許可された鍵情報が付けられていない本文メールが送信されてきた場合、及び鍵情報蓄積部３６の情報と合致しない鍵情報が含まれたメールを廃棄する。送信要求情報管理部３３は、送信側メールサーバ２から受信した送信許可要求のメール情報を受信側クライアント４の送信要求情報表示部４１に表示する。メール送信部３４は、受信側クライアント４が送信を許可したメールを受信側クライアント４に送信する。鍵生成／送信部３５は、受信側クライアント４からメール発信を許可する情報を受信した場合に鍵を生成し、送信側メールサーバ２に送信する。鍵情報蓄積部３６は、鍵生成／送信部３５にて生成した鍵情報を蓄積する。
【００２５】
受信側クライアント４は、送信要求情報表示部４１と、メール受信部４２と、メール表示部４３と、受信承諾情報返信部４４と、キーボード等の入力部４５とを備える。
【００２６】
送信要求情報表示部４１は、受信側メールサーバ３に蓄積されているメール送信要求情報を表示する。メール受信部４２は、受信側メールサーバ３からのメールを受信する。メール表示部４３は、受信側メールサーバ３から受信したメールを表示する。受信承諾情報返信部４４は、入力部４５にて送信許可情報が入力されたメールの情報を受信側メールサーバ３に送信する。キーボード等の入力部４５は、メール送信要求情報表示４１に表示されたメール送信の許可要求に対して送信許可する情報を入力する。
【００２７】
次に、図１を参照しながら、上記構成を有する電子メールシステムの動作について詳細に説明する。
【００２８】
送信側クライアント１から送信されたメールは、送信側メールサーバ２のメール受信部２１に供給される。メール受信部２１は、この供給されたメールをメール蓄積部２２に保存する一方で、ヘッダー情報抽出部２４でメールの発信者、日付、時間、表題等を抽出し、メール送信部２３へ供給する。メール送信部２３は、ヘッダー情報抽出部２４で抽出された情報を受信側メールサーバ３へ供給する。
【００２９】
受信側メールサーバ３は、メール受信／解析部３１で受信したメールが、ヘッダー情報のみであるのか、メールヘッダー情報だけではなく、メールの本文が含まれているのか、メール本文が含まれている場合には、送信許可鍵が付けられているか、送信許可鍵が付けられていないメールであるのかを解析する。送信許可鍵が付けられていない本文メールは、メール廃棄部３２にて廃棄される。ヘッダー情報のみの場合には、送信要求情報管理部３３に蓄積され、受信側クライアント４の送信要求情報表示部４１に表示される。
【００３０】
この送信要求情報表示部４１に表示された情報に対し、入力部４５にて送信の許可の情報が入力されると、この情報は受信承諾情報返信部４４に供給され、受信側メールサーバ３に送信される。受信承諾情報返信部４４により供給された情報は、鍵生成／送信部３５に供給され、ここで、送信を許可する鍵情報が生成され、送信側メールサーバ２の鍵受信／管理部２５に供給される。
【００３１】
送信側メールサーバ２の鍵受信／管理部２５に供給された送信許可の鍵情報は、メール蓄積部２２に供給される。メール蓄積部２２は、供給された鍵情報を蓄積されているメールに鍵情報を付加してメール送信部２３に供給する。メール送信部２３は、受信側メールサーバ３のメール受信／解析部３１に鍵情報を含むメールを供給する。鍵情報を含むメールを供給されたメール受信／解析部３１は、鍵情報蓄積部３６の鍵情報と受信メールに含まれる鍵情報との比較を行い、その値が一致した場合には、メール送信部３４を介して受信側クライアント４のメール受信部４２にメールを供給する。一方で、鍵情報が鍵情報蓄積部３６の値と一致しなかった場合には、メール受信／解析部３１は、受信メールをメール廃棄部３２に供給し、メールが廃棄される。
【００３２】
次に、本発明にかかる電子メールシステムの第２の実施の形態について図面を参照しながら詳細に説明する。
【００３３】
図２に示すように、この電子メールシステムは、第１の実施の形態と同様に、送信側クライアント１と、送信側メールサーバ２と、受信側メールサーバ３と、受信側クライアント４とを含む。
【００３４】
送信側メールサーバ２は、メール受信部２１と、メール蓄積部２２と、メール送信部２３と、ヘッダー情報抽出部２４と、鍵受信／管理部２５とを備えている。
【００３５】
メール受信部２１は、送信側クライアント１からのメールを受信する。メール蓄積部２２は、相手側の受信側メールサーバ３からメール送信の許可情報となる鍵情報を受信するまで送信側クライアント１からのメールを蓄積する。メール送信部２３は、ヘッダー情報抽出部２４が抽出したヘッダー情報と、相手側の受信側メールサーバ３から鍵情報を受信したメールを相手側の受信側メールサーバ３に送信する。ヘッダー情報抽出部２４は、メール受信部２１で受信したメールの送信者、日付、表題等のヘッダー情報を抽出する。
【００３６】
受信側メールサーバ３は、メール受信／解析部３１と、メール廃棄部３２と、送信要求情報管理部３３と、メール送信部３４と、鍵情報蓄積／送信部３７とを備える。
【００３７】
メール受信／解析部３１は、送信側メールサーバ２からのメールを受信し、その情報がメールの送信要求であるのか、受信側クライアント４が送信側メールサーバ２にメールの送信を許可して鍵情報が付けられた本文メールであるのか、鍵が付けられていない本文メールであるのかを判断する。また、メール受信／解析部３１は、鍵情報蓄積／送信部３７と照合し、その鍵が正しいものであるか否かを判断する。メール廃棄部３２は、送信を許可された鍵情報が付けられていない本文メールが送信されてきた場合、及び鍵情報蓄積／送信部３７の情報と合致しない鍵情報が含まれたが送信されてきた場合には、そのメールを廃棄する。送信要求情報管理部３３は、送信側メールサーバ２から受信した送信許可要求のメール情報を受信側クライアント４の送信要求情報表示部４１に表示する。メール送信部３４は、受信側クライアント４が送信を許可したメールを受信側クライアント４に送信する。鍵情報蓄積／送信部３７は、受信側クライアント４の鍵生成／送信部４６からメール発信を許可する鍵情報を受信した場合には、その鍵情報を蓄積し、送信側メールサーバ２の鍵受信／管理部２５に送信する。
【００３８】
受信側クライアント４は、メール送信要求情報表示部４１と、メール受信部４２と、メール表示部４３と、鍵生成／送信部４６と、キーボード等の入力部４５とを備える。
【００３９】
メール送信要求情報表示部４１は、受信側メールサーバ３に蓄積されているメール送信要求情報を表示する。メール受信部４２は、受信側メールサーバ３からのメールを受信する。メール表示部４３は、受信側メールサーバ３から受信したメールを表示する。鍵生成／送信部４６は、受信側メールサーバ３に対し、入力部４５にて送信許可情報が入力されたメールの受信を許可する鍵情報を生成して受信側メールサーバ３に送信する。キーボード等の入力部４５は、メール送信要求情報表示４１に表示されたメール送信の許可要求に対して送信許可する情報を入力する。
【００４０】
次に、図２を参照しながら、上記構成を有する電子メールシステムの動作について詳細に説明する。
【００４１】
送信側クライアント１から送信されたメールは、送信側メールサーバ２のメール受信部２１に供給される。メール受信部２１は、この供給されたメールをメール蓄積部２２に保存する一方で、ヘッダー情報抽出部２４でメールの発信者、日付、時間、表題等を抽出し、メール送信部へ供給する。メール送信部２３は、ヘッダー情報抽出部２４で抽出された情報を受信側メールサーバ３へ供給する。
【００４２】
受信側メールサーバ３は、メール受信／解析部３１で受信したメールが、ヘッダー情報のみであるのか、メールヘッダー情報だけではなく、メールの本文が含まれているのか、メール本文が含まれている場合には、送信許可鍵が付けられているか、送信許可鍵が付けられていないメールであるのかを解析する。送信許可鍵が付けられていない本文メールは、メール廃棄部３２にて廃棄される。ヘッダー情報のみの場合には、送信要求情報管理部３３に蓄積され、受信側クライアント４の送信要求情報表示部４１に表示される。
【００４３】
この送信要求情報表示部４１に表示された情報に対し、入力部４５にて送信の許可の情報が入力されると、この情報は鍵生成／送信部４６に供給されて送信を許可する鍵情報が生成され、受信側メールサーバ３の鍵情報蓄積／送信部３７を経由し、送信側メールサーバ２の鍵受信／管理部２５に供給される。
【００４４】
送信側メールサーバの鍵受信／管理部２５に供給された送信許可の鍵情報は、メール蓄積部２２に供給される。メール蓄積部２２は、供給された鍵情報を蓄積されているメールに鍵情報を付加してメール送信部２３に供給する。メール送信部２３は、受信側メールサーバ３のメール受信／解析部３１に鍵情報を含むメールを供給する。鍵情報を含むメールを供給されたメール受信／解析部３１は、鍵情報蓄積／送信部３７の鍵情報と受信メールに含まれる鍵情報との比較を行い、その値が一致した場合には、メール送信部３４を介して受信側クライアント４のメール受信部４２にメールを供給する。一方で、鍵情報が鍵情報蓄積／送信部３７の値と一致しなかった場合には、メール受信／解析部３１は、受信メールをメール廃棄部３２に供給し、メールが廃棄される。
【００４５】
【発明の効果】
以上説明したように、本発明によれば、登録されていない発信者からの電子メールでも受け取ることができ、受信側メールサーバの受信意志がない場合には、発信側メールサーバは、相手方にメールを送信することができず、被害に遭う前において確実に迷惑メールの受信を防止することのできる電子メールシステムを提供することができる。
【図面の簡単な説明】
【図１】本発明にかかる電子メールシステムの第１の実施の形態の構成を示す図である。
【図２】本発明にかかる電子メールシステムの第２の実施の形態の構成を示す図である。
【符号の説明】
１            送信側クライアント
２            送信側メールサーバ
３            受信側メールサーバ
４            受信側クライアント
２１        メール受信部
２２        メール蓄積部
２３        メール送信部
２４        ヘッダー情報抽出部
２５        鍵受信／管理部
３１        メール受信／解析部
３２        メール廃棄部
３３        送信要求情報管理部
３４        メール送信部
３５        鍵生成／送信部
３６        鍵情報蓄積部
３７        鍵情報蓄積／送信部
４１        送信要求情報表示部
４２        メール受信部
４３        メール表示部
４４        受信承諾情報返信部
４５        入力部
４６        鍵生成／送信部
【図１】
2004159086.tif 000003
【図２】
2004159086.tif 000004